(57)【特許請求の範囲】
【請求項１】
アナログ映像信号を磁気テープに記録再生する手段と、
デジタル映像信号を磁気テープに記録再生する手段と、
アナログ映像信号をアナログ／デジタル変換する手段と、
デジタル映像信号をデジタル／アナログ変換する手段と、
デジタル映像信号をディスクに記録再生する手段とを備えた映像信号ダビング・編集装置において、
磁気テープに記録されたアナログ映像信号を再生して、再生した前記アナログ映像信号をアナログ／デジタル変換し、変換したデジタル映像信号をディスクに一時記録した後、前記ディスクから前記デジタル映像信号を読み出してデジタル／アナログ変換し、変換したアナログ映像信号を磁気テープに記録するようにした第１の記録再生モード、
磁気テープに記録されたデジタル映像信号を再生して、再生した前記デジタル映像信号をディスクに一時記録した後、前記ディスクから前記デジタル映像信号を読み出して、読み出したデジタル映像信号を磁気テープに記録するようにした第２の記録再生モードと、
磁気テープに記録されたアナログ映像信号を再生して、再生した前記アナログ映像信号をアナログ／デジタル変換し、変換したデジタル映像信号をディスクに一時記録した後、前記ディスクから前記デジタル映像信号を読み出して、読み出したデジタル映像信号を磁気テープに記録するようにした第３の記録再生モードと、
磁気テープに記録されたデジタル映像信号を再生して、再生した前記デジタル映像信号をディスクに一時記録した後、前記ディスクから前記デジタル映像信号を読み出してデジタル／アナログ変換し、変換したアナログ映像信号を磁気テープに記録するようにした第４の記録再生モードを備えたことを特徴とする映像信号ダビング・編集装置。
【請求項２】
アナログ映像信号を磁気テープに記録再生する手段と、デジタル映像信号を磁気テープに記録再生する手段とを同一のテープ走行手段を共用したことを特徴とする請求項１記載の映像信号ダビング・編集装置。
【発明の詳細な説明】
【０００１】
【発明の属する技術分野】
本発明は、磁気テープに記録したアナログ映像信号又はデジタル映像信号を１台の装置でダビングでき、且つ、編集できる映像信号ダビング・編集装置に関するものである。
【０００２】
【従来の技術】
従来、磁気テープに記録したアナログ映像信号又はデジタル映像信号を別の磁気テープにダビングしたり、又は、編集するためには２台のＶＴＲ（ビデオテープレコーダ）が必要であった。
【０００３】
図２（Ａ）〜（Ｄ）は従来例における一例の映像信号ダビング・編集システムを示した図である。
【０００４】
即ち、図２（Ａ）に示した如く、アナログ記録テープからアナログ記録テープへのダビングには、アナログＶＴＲ（再生用）５１とアナログＶＴＲ（記録用）５２とが必要とされ、図２（Ｂ）に示した如く、デジタル記録テープからデジタル記録テープへのダビングには、デジタルＶＴＲ（再生用）６１とデジタルＶＴＲ（記録用）６２とが必要とされ、図２（Ｃ）に示した如く、アナログ記録テープからデジタル記録テープへのダビングには、アナログＶＴＲ（再生用）７１とデジタルＶＴＲ（記録用）７２とが必要とされ、更に、図２（Ｄ）に示した如く、デジタル記録テープからアナログ記録テープへのダビングには、デジタルＶＴＲ（再生用）８１とアナログＶＴＲ（記録用）８２とが必要とされていた。
【０００５】
一方、特開平６−３０９８４３号公報には、１台の画像記録再生装置でダビング・編集できる技術が図３に示した如く開示されている。
【０００６】
図３は従来例における他例の画像記録再生装置を示した図である。
【０００７】
図３に示した如く、従来例における他例の画像記録再生装置は、映像信号形式の入力信号を入力する入力端子９１と、テープ状媒体での記録再生に適した第１信号形式の信号をテープ状媒体に記録再生するテープ状媒体記録再生部９２と、ディスク状媒体での記録再生に適した第２信号形式の信号をディスク状媒体に記録再生するディスク状媒体記録再生部９３と、入力端子９１から入力した映像信号形式の入力信号と第１信号形式と第２信号形式とを相互に変換する方式変換手段９４と、テープ状媒体記録再生部９２とディスク状媒体記録再生部９３と方式変換手段９４との動作を制御する制御回路９５と、映像信号形式の出力信号を出力する出力端子９６とを備えて構成されている。
【０００８】
ここでは、テープ状媒体記録再生部９２でテープ状媒体を再生した映像信号を方式変換手段９４を介してディスク状媒体記録再生部９３内のディスク状媒体に一度記録し、テープ状媒体を交換してからアクセスが早いディスク状媒体から交換したテープ状媒体にダビングしたり、編集したりしている。
【０００９】
【発明が解決しようとする課題】
ところで、図２に示した従来例における一例の映像信号ダビング・編集システムでは、同図（Ａ）〜（Ｄ）に示した４通りの方法を自由に使いこなすには、アナログＶＴＲとデジタルＶＴＲとをそれぞれ２台つづ必要となり、システムがコスト高となるばかりでなく、計４台のＶＴＲの設置場所も大きく取られてしまう。
【００１０】
一方、図３に示した従来例における他例の画像記録再生装置では、テープ状媒体とディスク状媒体とを用いて１台でダビングしたり、編集できるものの、テープ状媒体を記録再生する信号形式が１種類の第１信号形式だけではアナログ映像信号とデジタル映像信号とに完全に対応でき得ず、アナログ又はデジタルのいずれか一方の信号形式に限定されてしまう。これに対して、ディスク状媒体は装置内だけの使用のため、ディスク状媒体を記録再生する信号形式は１種類の第２信号形式だけでまにあうものである。
【００１１】
そこで、特開平６−３０９８４３号公報に開示された画像記録再生装置の技術的思想を更に改良して、磁気テープを記録再生する信号形式がアナログ映像信号とディジタル映像信号とに対応でき、且つ、ディスクを記録再生する信号形式はデジタル方式として、磁気テープに記録したアナログ映像信号又はデジタル映像信号を１台の装置でダビングでき、且つ、編集できる映像信号ダビング・編集装置が望まれている。
【００１２】
【課題を解決するための手段】
本発明は上記課題に鑑みてなされたものであり、アナログ映像信号を磁気テープに記録再生する手段と、
デジタル映像信号を磁気テープに記録再生する手段と、
アナログ映像信号をアナログ／デジタル変換する手段と、
デジタル映像信号をデジタル／アナログ変換する手段と、
デジタル映像信号をディスクに記録再生する手段とを備えた映像信号ダビング・編集装置において、
磁気テープに記録されたアナログ映像信号を再生して、再生した前記アナログ映像信号をアナログ／デジタル変換し、変換したデジタル映像信号をディスクに一時記録した後、前記ディスクから前記デジタル映像信号を読み出してデジタル／アナログ変換し、変換したアナログ映像信号を磁気テープに記録するようにした第１の記録再生モード、
磁気テープに記録されたデジタル映像信号を再生して、再生した前記デジタル映像信号をディスクに一時記録した後、前記ディスクから前記デジタル映像信号を読み出して、読み出したデジタル映像信号を磁気テープに記録するようにした第２の記録再生モードと、
磁気テープに記録されたアナログ映像信号を再生して、再生した前記アナログ映像信号をアナログ／デジタル変換し、変換したデジタル映像信号をディスクに一時記録した後、前記ディスクから前記デジタル映像信号を読み出して、読み出したデジタル映像信号を磁気テープに記録するようにした第３の記録再生モードと、
磁気テープに記録されたデジタル映像信号を再生して、再生した前記デジタル映像信号をディスクに一時記録した後、前記ディスクから前記デジタル映像信号を読み出してデジタル／アナログ変換し、変換したアナログ映像信号を磁気テープに記録するようにした第４の記録再生モードを備えたことを特徴とする映像信号ダビング・編集装置である。
【００１３】
また、上記発明の映像信号ダビング・編集装置において、
アナログ映像信号を磁気テープに記録再生する手段と、デジタル映像信号を磁気テープに記録再生する手段とを同一のテープ走行手段を共用したことを特徴とするものである。
【００１４】
【発明の実施の形態】
以下に本発明に係る映像信号ダビング・編集装置の一実施例を図１を参照して詳細に説明する。
【００１５】
図１は本発明に係る映像信号ダビング・編集装置を示したブロック図である。
【００１６】
図１に示した本発明に係る映像信号ダビング・編集装置は、磁気テープをアナログ記録再生するアナログ記録再生部及び磁気テープをデジタル記録再生するデジタル記録再生部を備えたＶＴＲ（ビデオテープレコーダ）部と、ディスクをデジタル記録再生するディスク駆動部とから概略構成されている。ここでは、ＶＴＲ部として、最近開発されたアナログ記録再生とデジタル記録再生の両機能を備えたＤ−ＶＨＳ規格に準拠したものを採用している。この際、ＶＴＲ部は、アナログ映像信号を磁気テープに記録再生する手段と、デジタル映像信号を磁気テープに記録再生する手段とを同一のテープ走行手段を共用している。ここで、前記したテープ走行手段とは、磁気テープを所定のテープパスに沿って案内するためのテープガイドとか、磁気テープを磁気ヘッドと一体に回転する回転ドラムに所定の角度に亘って螺旋状に巻き付けるためのテープローディング部材とか、磁気テープを挟持しながら定速に走行させるためのキャプスタン及びピンチローラなどで構成されている。
【００１７】
一方、ディスク駆動部に取り付けたディスクは、デジタル記録再生可能な磁気ディスク（ハードディスク）又はデジタル記録再生可能な光ディスクを採用している。
【００１８】
尚、一般的に、ダビングは複製する作業を言い、編集とは画像を繋ぎ合わせる作業を言い、ランダムアクセス可能なディスクではダビングも編集も容易に行うことができるので、以下の説明ではダビング・編集と記す。
【００１９】
即ち、本発明に係る映像信号ダビング・編集装置において、信号の流れに沿って以下順を追って説明する。
【００２０】
まず、通常の記録と再生について説明する。
【００２１】
（１）    映像信号のアナログ記録
入力端子１から入力されたアナログ映像信号は、スイッチ２を通ってアナログ信号記録処理回路３に入り、ここで信号処理された後、スイッチ４を通って磁気ヘッド（記録ヘッド）５から磁気テープＴにアナログ映像信号が記録される。
【００２２】
（２）    映像信号のデジタル記録
入力端子１から入力されたアナログ映像信号は、スイッチ２及びスイッチ６を順に通ってアナログ／デジタル変換器（Ａ／Ｄ）７によりデジタル映像信号に変換される。アナログ／デジタル変換器７で変換されたデジタル映像信号は、スイッチ８及びスイッチ９を通ってデジタル信号記録処理回路１０に入り、ここで信号処理された後、スイッチ４を通って磁気ヘッド５から磁気テープＴにデジタル映像信号が記録される。
【００２３】
（３）    アナログ記録テープの再生
磁気テープＴに記録されたアナログ映像信号は、磁気ヘッド（再生ヘッド）１１で再生された後、スイッチ１２を通ってアナログ信号再生処理回路１３に入り、ここで信号処理された後、スイッチ１４を通って出力端子１５からアナログ映像信号として出力される。
【００２４】
（４）    デジタル記録テープの再生
磁気テープＴに記録されたデジタル映像信号は、磁気ヘッド１１で再生された後、スイッチ１２を通ってデジタル信号再生処理回路１６に入り、ここで信号処理された後、スイッチ１７を通ってデジタル／アナログ変換器（Ｄ／Ａ）１８によりアナログ映像信号に変換される。デジタル／アナログ変換器１８で変換されたアナログ映像信号は、スイッチ１４を通って出力端子１５からアナログ映像信号として出力される。
【００２５】
次に、各種のダビング・編集（第１〜第４の記録再生モード）について説明する。
【００２６】
（５）    アナログ記録テープからアナログ記録テープへのダビング・編集…第１の記録再生モード
アナログ記録テープＡＴを再生することにより、磁気ヘッド１１で再生されたアナログ映像信号は、スイッチ１２を通ってアナログ信号再生処理回路１３に入る。ここで信号処理されたアナログ映像信号は、スイッチ６を通ってアナログ／デジタル変換器７によりデジタル映像信号に変換される。アナログ／デジタル変換器７で変換されたデジタル映像信号は、スイッチ８及びスイッチ１９を順に通ってディスク駆動部２０に入り、ディスク駆動部２０内のディスクＤに一時記憶される。そして、アナログ記録テープＡＴの再生が終了したら、テープを交換し、ディスクＤに一時記憶されたデジタル映像信号をディスクＤから読み出して、スイッチ１７を通ってデジタル／アナログ変換器１８によりアナログ映像信号に変換される。この後、デジタル／アナログ変換器１８で変換されたアナログ映像信号は、スイッチ２を通ってアナログ信号記録処理回路３に入り、ここで信号処理された後、スイッチ４を通って磁気ヘッド５から磁気テープＴにアナログ映像信号が記録され、アナログ記録テープＡＴができる。
尚、ここでは、アナログからアナログへのダビング・編集であるので、テープ交換は必要に応じて行えば良い。
【００２７】
（６）    デジタル記録テープからデジタル記録テープへのダビング・編集…第２の記録再生モード
デジタル記録テープＤＴを再生することにより、磁気ヘッド１１で再生されたデジタル映像信号は、スイッチ１２を通ってデジタル信号再生処理回路１６に入り、ここで信号処理された後、スイッチ１９を通ってディスク駆動部２０に入り、ディスク駆動部２０内のディスクＤに一時記憶される。そして、デジタル記録テープＤＴの再生が終了したら、テープを交換し、ディスクＤに一時記憶されたデジタル映像信号をディスクＤから読み出して、スイッチ９を通ってデジタル信号記録処理回路１０に入り、ここで信号処理された後、スイッチ４を通って磁気ヘッド５から磁気テープＴにデジタル映像信号が記録され、デジタル記録テープＤＴができる。
尚、ここでは、デジタルからデジタルへのダビング・編集であるので、テープ交換は必要に応じて行えば良い。
【００２８】
（７）    アナログ記録テープからデジタル記録テープへのダビング・編集…第３の記録再生モード
アナログ記録テープＡＴを再生することにより、磁気ヘッド１１で再生されたアナログ映像信号は、スイッチ１２を通ってアナログ信号再生処理回路１３に入る。ここで信号処理されたアナログ映像信号は、スイッチ６を通ってアナログ／デジタル変換器７によりデジタル映像信号に変換される。この後、アナログ／デジタル変換器７で変換されたデジタル映像信号は、スイッチ８及びスイッチ１９を順に通ってディスク駆動部２０に入り、ディスク駆動部２０内のディスクＤに一時記憶される。そして、アナログ記録テープＡＴの再生が終了したら、テープを交換し、ディスクＤに一時記憶されたデジタル映像信号をディスクＤから読み出して、スイッチ９を通ってデジタル信号記録処理回路１０に入り、ここで信号処理された後、スイッチ４を通って磁気ヘッド５から磁気テープＴにデジタル映像信号が記録され、デジタル記録テープＤＴができる。
【００２９】
（８）    デジタル記録テープからアナログ記録テープへのダビング・編集…第４の記録再生モード
デジタル記録記録テープＤＴを再生することにより、磁気ヘッド１１で再生されたデジタル映像信号は、スイッチ１２を通ってデジタル信号再生処理回路１６に入り、ここで信号処理された後、スイッチ１９を通ってディスク駆動部２０に入り、ディスク駆動部２０内のディスクＤに一時記憶される。そして、デジタル記録テープＤＴの再生が終了したら、テープを交換し、ディスクＤに一時記憶されたデジタル映像信号をディスクＤから読み出して、スイッチ１７を通ってデジタル／アナログ変換器１８によりアナログ映像信号に変換される。この後、デジタル／アナログ変換器１８で変換されたアナログ映像信号は、スイッチ２を通ってアナログ信号記録処理回路３に入り、ここで信号処理された後、スイッチ４を通って磁気ヘッド５から磁気テープＴにアナログ映像信号が記録され、アナログ記録テープＡＴができる。
【００３０】
【発明の効果】
以上詳述した本発明に係る映像信号ダビング・編集装置によると、磁気テープをアナログ記録再生するアナログ記録再生部及び磁気テープをデジタル記録再生するデジタル記録再生部を備えたＶＴＲ部と、ディスクをデジタル記録再生するディスク駆動部とを備え、磁気テープをダビング・編集するにあたって、ＶＴＲ部とディスク駆動部とにより、アナログからアナログへ、又は、デジタルからデジタルへ、又は、アナログからデジタルへ、又は、デジタルからアナログへの４通りの方式を１台の装置でダビング・編集できるので、使い勝手の良い映像信号ダビング・編集装置を提供できることは勿論のこと、装置の設置スペースも少なくてすむなどの利点がある。
【図面の簡単な説明】
【図１】本発明に係る映像信号ダビング・編集装置を示したブロック図である。
【図２】（Ａ）〜（Ｄ）は従来例における一例の映像信号ダビング・編集システムを示した図である。
【図３】従来例における他例の画像記録再生装置を示した図である。
【符号の説明】
１…入力端子、
３…アナログ信号記録処理回路、
５…磁気ヘッド（記録ヘッド）、
７…アナログ／デジタル変換器（Ａ／Ｄ）、
１０…デジタル信号記録処理回路、
１１…磁気ヘッド（再生ヘッド）、
１３…アナログ信号再生処理回路、
１６…デジタル信号再生処理回路、
１８…デジタル／アナログ変換器（Ｄ／Ａ）、
２０…ディスク駆動部、
Ｄ…ディスク、
Ｔ…磁気テープ。
【図１】
0003551023.tif 000002
【図２】
0003551023.tif 000003
【図３】
0003551023.tif 000004